(57)【特許請求の範囲】
【請求項１】
船舶又は海洋施設の周囲に沿って実装するための障害物（１０）であって、前記船舶又は海洋施設は、周囲レール（２０）を有するデッキ（５１）と、前記デッキの縁部に沿った直立板（５３）とを含み、前記障害物は細長ボディを有し、前記細長ボディは、
前記周囲レールの最下位列のレール（２０３）を受容するための縦溝（１２）と、
前記直立板（５３）の上にその船外即ち海側で突き出るための舌状部（１４）であって、前記障害物（１０）が前記船舶又は海洋施設の前記周囲に沿って実装されるときに船内方向に面するように意図された後面（１４２）を含む、舌状部とを含み、
前記舌状部の後面（１４２）と前記縦溝（１２）の中心線（Ｘ−Ｘ’）との間の分離（ｓ）は、３０〜３００ｍｍであり、
前記縦溝（１２）の前記中心線（Ｘ−Ｘ’）と前記分離（ｓ）とは、前記舌状部の前記後面（１４２）に対する９０度〜１３５度の角度（θ）を船内側に範囲決めする平面を共に規定する、障害物。
【請求項２】
前記舌状部（１４）は、前記縦溝（１２）から離れる方向に減っていく厚さ（ｔ）を有する、請求項１に記載の障害物。
【請求項３】
前記縦溝（１２）は、前記最下位列のレール（２０３）まわりの前記障害物（１０）の回転に適合され、それによって、前記障害物は、デッキの縁部に沿って異なった高さの板（５３ａ、５３ｂ）を収容することができる、請求項１又は２に記載の障害物。
【請求項４】
前記障害物（１０）が前記船舶又は海洋施設の前記周囲に沿って実装されるときに上方に面するように意図された上面（１６）を更に含み、前記上面は、前記障害物（１０）の深さの方向（Ｄ−Ｄ’）に凸状に湾曲している、請求項１ないし３のいずれか１項に記載の障害物。
【請求項５】
前記上面（１６）は、実質上滑らかである、請求項４に記載の障害物。
【請求項６】
前記舌状部（１４）は、前記障害物（１０）が前記船舶又は海洋施設の前記周囲に沿って実装されるときに海方向に面するように意図された前面（１４４）を含み、前記前面は、実質上滑らかである、請求項１ないし５のいずれか１項に記載の障害物。
【請求項７】
前記障害物（１０）を前記最下位列のレール（２０３）に取り付けるための前記縦溝（１２）に近位の取付け設備（１１）を更に含む、請求項１ないし６のいずれか１項に記載の障害物。
【請求項８】
前記取付け設備（１１）は、前記障害物の１つ又は複数の貫通穴（１１２）を含む、請求項７に記載の障害物。
【請求項９】
前記最下位列のレール（２０３）まわりの前記障害物（１０）の回転を妨げるための回転防止デバイス（１３）を更に含む、請求項１ないし８のいずれか１項に記載の障害物。
【請求項１０】
前記回転防止デバイス（１３）は、前記舌状部（１４）の１つ又は複数の貫通穴（１３２）を含む、請求項９に記載の障害物。
【請求項１１】
前記障害物（１０）は、０．７０〜１．５０メートルの幅（ｗ）を有する、請求項１ないし１０のいずれか１項に記載の障害物。
【請求項１２】
前記舌状部（１４）は、２００〜６００ｍｍの高さ（ｈ）を有する、請求項１ないし１１のいずれか１項に記載の障害物。
【請求項１３】
請求項１から１２のいずれか１項に記載の複数の障害物（１０ａ、１０ｂ）と、
前記障害物の上で、前記船舶又は海洋施設の前記周囲レール（２０）に実装するための複数のセキュリティ防壁（１ａ、１ｂ、１ｃ）とを含む、周囲保護システム（１００）。
【請求項１４】
請求項１から１２のいずれか１項に記載の、前記船舶又は海洋施設の前記周囲に沿って並んで互いに隣接して配置される複数の障害物（１０ａ、１０ｂ）と、
前記障害物の上で、前記船舶又は海洋施設の前記周囲レール（２０）に沿って並んで互いに隣接して配置される複数のセキュリティ防壁（１ａ、１ｂ、１ｃ）とを含む、船舶又は海洋施設。
【請求項１５】
前記複数の障害物（１０ａ、１０ｂ）及び前記複数のセキュリティ防壁（１ａ、１ｂ、１ｃ）によって保護される積荷を更に含む、請求項１４に記載の船舶又は海洋施設。
【請求項１６】
船舶又は海洋施設の周囲を保護する方法であって、前記船舶又は海洋施設は、周囲レール（２０）を有するデッキ（５１）と、前記デッキの縁部に沿った直立板（５３）とを含み、
請求項１から１２のいずれか１項に記載の複数の障害物（１０ａ、１０ｂ）を、前記船舶又は海洋施設の前記周囲に沿って並んで互いに隣接して位置決めするステップと、
前記周囲レールの最下位列のレール（２０３）を前記障害物の前記縦溝（１２）に受容するステップと、
前記障害物の前記舌状部（１４）をその船外即ち海側の前記直立板（５３）の上に掛けるステップとを含む、方法。
【請求項１７】
少なくとも１つの前記障害物（１０ａ、１０ｂ）を前記周囲レール（２０）に取り付けるステップを更に含む、請求項１６に記載の方法。
【請求項１８】
前記最下位列のレール（２０３）まわりの少なくとも１つの前記障害物（１０ａ、１０ｂ）の回転を妨げるステップを更に含む、請求項１６又は１７に記載の方法。
【請求項１９】
複数のセキュリティ防壁（１ａ、１ｂ、１ｃ）を、前記障害物の上で、前記船舶又は海洋施設の前記周囲レールに沿って並んで互いに隣接して位置決めするステップを更に含む、請求項１６から１８のいずれか１項に記載の方法。
【発明の詳細な説明】
【技術分野】
【０００１】
本発明は、商業船や軍艦などの船舶、或いは、油田採掘機や他の海洋プラットフォームなどの海洋施設の周囲に沿って実装するための障害物に関する。本発明は、海賊、密航者及び活動家などの無許可の潜在的搭乗者に対して船舶又は海洋施設の周囲を保護するためのシステム、並びに、そういったシステムを含む船舶又は海洋施設にも関し、また、船舶又は海洋施設の周囲を保護する方法にも関する。
【背景技術】
【０００２】
海での犯罪の増加により、海上を航行する船舶及び海洋施設にとって、そういった無許可の潜在的搭乗者に対して保護されるべき必要性は、対応して増加してきた。無許可の潜在的搭乗者は、例えば、様々なラダー、クライミングポール、グラップリングフック及びロープを装備した１つ又は複数の小型高速のボートで、船やプラットフォームに接近することがある。彼らは、そういったボートを大きめの船やプラットフォームに横付けにして、ラダーやクライミングポールをボートから大きめの船やプラットフォームの側面の上に持ち上げて、船やプラットフォームのデッキへのアクセスを得るためにラダーやポールをよじ登ることによってそれに搭乗しようと試みることがある。彼らはまた、デッキに固定されたアイテムを捕捉してそれによってロープをよじ登るのを可能にする目的で、ロープに取り付けられたグラップリングフックをデッキに投げようと試みることがある。これは、そういった無許可の潜在的搭乗者を阻止するのを目標にすることで、船舶及び海洋施設の周囲を保護するための幾つかの異なったタイプのセキュリティ防壁の発展をもたらした。これらの公知のセキュリティ防壁は、船舶又は海洋施設のデッキの縁部に沿って延びる周囲レールの上に典型的に実装される。
【０００３】
他方、多くの船舶及び海洋施設は、デッキの縁部に沿って延びる直立板を更に含む。そういった板は、フィッシュプレートと一般に呼ばれるが、船舶又は海洋施設の動きのせいでデッキが水平から逸脱する場合や、デッキが波で洗われるか、又は悪天候で衝撃を与えられる場合に、デッキ上の物体がデッキの縁部から滑落して船外に落ちるのを防止するように設計される。しかしながら、フィッシュプレートの上部縁部は、無許可の潜在的搭乗者が、船舶又は海洋施設に搭乗しようと試みる際に、フックを取り付けるため又はつかみ所を得るために、場所を提供する場合がある。また、フィッシュプレートは、周囲レールに沿ったセキュリティ防壁の実装を妨げる場合もある。これは、特に、セキュリティ防壁が、レールの底部縁部の近くか又はその下の位置で、周囲レールの実質上高さ全体に延びるか又はデッキの縁部を越えて海方向に延びる場合に、当てはまる。先行技術では、それらの課題の解決策は、殆ど考慮されてこなかったように見える。
【発明の概要】
【発明が解決しようとする課題】
【０００４】
本発明は、これらや他の課題に取り組むことを意図している。同じく意図しているのは、船舶の周囲に沿って実装するための障害物と、複数のそういった障害物を含む船舶又は海洋施設のための周囲保護システムと、複数のそういった障害物を含む船舶又は海洋施設と、複数のそういった障害物を用いる船舶又は海洋施設の周囲を保護する方法とを提供することである。
【課題を解決するための手段】
【０００５】
したがって、第１の態様では、本発明は、船舶又は海洋施設の周囲に沿って実装するための障害物を提供し、船舶又は海洋施設は、周囲レールを有するデッキと、デッキの縁部に沿った直立板とを含む。障害物は、周囲レールの最下位列のレールを受容するための縦溝と、板の上にその船外即ち海側で突き出るための舌状部とを含む細長ボディを有する。舌状部は、障害物が船舶又は海洋施設の周囲に沿って実装されるときに船内方向に面するように意図された後面を含む。舌状部の後面と縦溝の中心線との間の分離ｓは、３０〜３００ｍｍであり、縦溝の中心線と分離ｓとは、舌状部の後面に対する９０度〜１３５度の角度θを範囲決めする平面を共に規定する。
【０００６】
そういった障害物の場合、フィッシュプレートは、フックをフィッシュプレートに取り付けること又はフィッシュプレートの上部縁部においてつかみ所を得ることを試みる無許可の潜在的搭乗者から保護されることができる。上で説明されるような障害物の分離ｓ及び角度θの特徴の組合せは、障害物が、多種多様の異なった可能な高さのフィッシュプレートやフィッシュプレートまでのデッキを横切る異なった可能な距離の周囲レールを、下で非常に詳細に説明されるやり方で保護するのを可能にする。
【０００７】
その上、この障害物が提供するようなそういったフィッシュプレートプロテクタを使用する場合、複数のセキュリティ防壁は、船舶又は海洋施設に周囲保護システムを提供するために複数のそういった障害物の上で周囲レールに沿って実装されることがあり、周囲レールの高さ全体に実質上延びるか或いはレールの底部縁部の近くか又はその下の場所で海方向にデッキの縁部を越えるセキュリティ防壁を採用する必要性は、伴わない。例えば、セキュリティ防壁は、周囲レールの上部からその高さのほぼ３分の２又は４分の３だけ延びているが、代わりに使用されることがある。こうして、周囲レールに沿ったセキュリティ防壁の実装を妨げるフィッシュプレートのリスクは、回避される場合がある。
【０００８】
好ましくは、障害物の舌状部は、縦溝から離れる方向に減っていく厚さｔを有する。これは、障害物の使用時に舌状部が下方を指し示す方向にある障害物の配向を維持するのに役立つ。また、それは、障害物の使用時に障害物の重心がより船内方向にシフトするという利点も有し、悪天候や海の状況で障害物が誤って船外に失われる可能性を減少させる。
【０００９】
好ましくは、縦溝は、最下位列のレールまわりの障害物の回転に適合され、したがって、障害物は、デッキの縁部に沿って異なった高さの板を収容することができる。
【００１０】
好ましくは、障害物は、障害物が船舶又は海洋施設の周囲に沿って実装されるときに上方に面するように意図された上面を更に含み、上面は、障害物の深さの方向に凸状に湾曲する。これは、障害物が異なった高さのフィッシュプレートに適するように回転される場合に、上面がデッキの上で実質上一定の高さを維持するのを確実にするという利点を有し、それによって、その上で周囲レールに実装された任意のセキュリティ防壁を妨げる可能性を低くする。また、それは、障害物の上面が無許可の潜在的搭乗者によって、つかみ所のための場所として使用されるのを防止するのにも役立つ。
【００１１】
そういった場合、上面は、また、実質上滑らかであることが好ましい。これは、障害物の上面にとって、無許可の潜在的搭乗者によってつかみ所のための場所として使用されるのをより困難にする。
【００１２】
舌状部にとってまた好ましいことは、障害物が船舶又は海洋施設の周囲に沿って実装されるときに海方向に面するように意図された前面を含むことであり、前面は、実質上滑らかである。これは、無許可の潜在的搭乗者にとって前面でつかみ所又は足場を得るのをより困難にする。
【００１３】
好ましくは、障害物は、障害物を最下位列のレールに取り付けるための縦溝に近位の取付け設備を更に含む。これは、障害物がたとえフィッシュプレートに容易に取り付けられることができなくても、障害物が周囲レールに固定式に締結されるのを可能にする。
【００１４】
そういった場合、取付け設備は、好ましくは、障害物の１つ又は複数の貫通穴を含む。これは、結び付けることによって障害物が周囲レールに迅速に容易に取り付けられるのを可能にするという利点を有する。
【００１５】
好ましくは、障害物は、最下位列のレールまわりの障害物の回転を妨げるための回転防止デバイスを更に含む。これは、例えば、フィッシュプレートの上部縁部に対するアクセスを試みてそれを得ると共につかみ所としてそれを利用する目的で、無許可の潜在的搭乗者が障害物の舌状部を跳ね上げることができるのを阻止するという利点を有する。
【００１６】
そういった場合、回転防止デバイスは、好ましくは、舌状部の１つ又は複数の貫通穴を含む。これは、障害物が、例えば、別の隣接する類似の障害物に、或いは、周囲レールの１つ又は複数の鉛直支柱又は支持ステイに、結び付けられることを可能にする。
【００１７】
障害物は、好ましくは、０．７０〜１．５０メートル、より好ましくは、０．８０〜１．４０メートル、最も好ましくは、０．９０〜１．３０メートル、の幅ｗを有する。そういった幅は、普通に出くわす周囲レールの隣接する鉛直支柱間のスペースに適合するのに最適であるという利点を有する。
【００１８】
好ましくは、舌状部は、２００〜６００ｍｍ、より好ましくは、２５０〜５００ｍｍ、最も好ましくは、３００〜４００ｍｍ、の高さｈを有する。そういった高さは、普通に出くわすデッキを横切るフィッシュプレートからの周囲レールの異なった可能な距離に最適であるという利点を有する。
【００１９】
好ましくは、障害物は、不活性プラスチック材料などの、天候及び海水に耐性のある１つ又は複数の材料で構成される。例えば、障害物は、高密度ポリエチレン（ＨＤＰＥ）及び／又はガラス強化ナイロンで作られることがあり、その両方は、良好な強度及び剛性も有する。
【００２０】
第２の態様では、本発明は、本発明の第１の態様に係る複数の障害物と、障害物の上で、船舶又は海洋施設の周囲レールに実装するための複数のセキュリティ防壁とを含む、周囲保護システムも提供する。セキュリティ防壁は、例えば、英国特許第ＧＢ２５３１２３２Ｂ号に、同じく本出願人の名義で、図示及び説明されたタイプであることがあり、その内容は、参照によって本明細書に組み込まれる。
【００２１】
第３の態様では、本発明は、本発明の第１の態様に係る、船舶又は海洋施設の周囲に沿って並んで互いに隣接して配置される複数の障害物と、障害物の上で、船舶又は海洋施設の周囲レールに沿って並んで互いに隣接して配置される複数のセキュリティ防壁とを含む、船舶又は海洋施設を更に提供する。こうして、船舶又は海洋施設の周囲は、共に互いに作用する、複数のそういった障害物及び複数のそういったセキュリティ防壁によって保護されることができ、周囲レール及びフィッシュプレートの両方を無許可の潜在的搭乗者に対して保護する。
【００２２】
船舶又は海洋施設は、複数の障害物及び複数のセキュリティ防壁によって保護される積荷を更に含むことがある。
【００２３】
第４の態様では、本発明は、船舶又は海洋施設の周囲を保護する方法も提供し、船舶又は海洋施設は、周囲レールを有するデッキと、デッキの縁部に沿った直立板とを含む。方法は、本発明の第１の態様に係る複数の障害物を、船舶又は海洋施設の周囲に沿って並んで互いに隣接して位置決めすることと、周囲レールの最下位列のレールを障害物の縦溝に受容することと、障害物の舌状部をその船外即ち海側の板の上に掛けることとを含む。
【００２４】
好ましくは、方法は、少なくとも１つの障害物を周囲レールに取り付けることを更に含む。これは、最も容易であるという理由で好ましい。しかしながら、代替の可能な実施形態では、障害物は、クリートやビットのようなデッキ上に永久的に位置する障害物などの、船舶又は海洋施設の他のアイテムに代わりに取り付けられることがある。
【００２５】
好適な実施形態では、方法は、最下位列のレールまわりの少なくとも１つの障害物の回転を妨げることも含む。これは、障害物が跳ね上げられてフィッシュプレートの上部縁部が露出するのを防止するのに役立つという理由で有利である。
【００２６】
好ましくは、方法は、複数のセキュリティ防壁を、障害物の上で、船舶又は海洋施設の周囲レールに沿って並んで互いに隣接して位置決めすることを更に含む。これは、フィッシュプレート及びレールの両方が無許可の潜在的搭乗者に対してその後に保護されることができるという理由で有利である。
【００２７】
本発明の更なる特徴や利点については、添付の図面に関連して、一例として与えられる以下の詳細な説明から明らかになろう。
【図面の簡単な説明】
【００２８】
【図１】船舶又は海洋施設の周囲レールの一部の外側即ち海側からの斜視図である。
【図２】図１に示された周囲レールの一部の内側即ちデッキ側からの斜視図である。
【図３】障害物の実施形態の第１の斜視図である。
【図４】図３に示された障害物の第２の斜視図である。
【図５】図３及び４に示された障害物の側面プロファイル図である。
【図６】周囲保護システムの実施形態の外側即ち海側からの斜視図である。
【図７】図６に示された周囲保護システムの内側即ちデッキ側からの斜視図である。
【発明を実施するための形態】
【００２９】
図１及び２は、船舶又は海洋施設の周囲レール２０の代表的部分の、外側即ち海側からの図と、内側即ちデッキ側からの図をそれぞれ示す。船舶又は海洋施設の側面の一部は、参照番号５２がラベル付けされて見える場合がある。周囲レール２０は、最上位置のハンドレール２０１と、中間列のレール２０２と、最下位列のレール２０３とを含む、複数列のレールを含む。周囲レール２０に沿った一定の間隔には、複数の鉛直支柱２０４がある。規制は、鉛直支柱２０４が１．５ｍを超えないように離隔されることを要求する。周囲レール２０は、船舶又は海洋施設のデッキ５１に実装される。レール２０の、デッキ５１から最上位のハンドレール２０１までの全高ｇは、規制によって、少なくとも１メートルであることが要求される。また、最下位列のレール２０３の、デッキ５１からの分離ｆは、規制によって、２３０ｍｍを超えないことが要求される。中間列のレール２０２は、最上位置のハンドレール２０１と最下位列のレール２０３との間でほぼ等距離に位置決めされる。このように、最上位置のハンドレール２０１と中間列のレール２０２との間のギャップ、又は、中間列のレール２０２と最下位列のレール２０３との間のギャップは、（ｇ−ｆ）／２によって与えられ、そこからは、レールの列自体の厚さも差し引きされねばならない。したがって、各ギャップは、高さが通常５００ｍｍを超えることがなく、実際には、それよりもかなり小さい。
【００３０】
デッキ５１の縁部のレール２０の外側には、フィッシュプレート５３と呼ばれる鉛直リップがあり、その高さは、レール２０が実装される船舶又は海洋施設のタイプに依存するが、一般に高さ約９０〜約４００ｍｍである。周囲レール２０のデッキ５１を横切ってフィッシュプレート５３からの距離は、規制によって規定されず、したがって、レール２０が実装される船舶又は海洋施設のタイプに依存して変化することもある。しかしながら、典型的には、デッキ５１を横切るその距離は、最長約３００ｍｍである。
【００３１】
周囲レール２０は、それらの１つが図２に見られることのできる複数の支持ステイ２０５によって、一定の間隔で支えられる。規制は、３つの鉛直支柱２０４毎に最低限１つの支持ステイ２０５がなければならないことを要求するが、そこには、全ての他の支柱２０４のために、支持ステイ２０５があることが一般的である。同じく図２に示されているのは、レール２０の内側即ちデッキ側に恒久的に位置する障害物２３の代表例である。そういった障害物は、アコモデーションラダー、クリート、及びビットを含む。
【００３２】
図３、４及び５は、船舶又は海洋施設が、周囲レール２０を有するデッキ５１と、図１及び２に示されるようなものなどのデッキの縁部に沿った直立板５３とを含むときに、船舶又は海洋施設の周囲に沿って実装するのに適した障害物１０の実施形態を示す。障害物１０は、周囲レール２０の最下位列のレール２０３を受容するための縦溝１２と、板の船外即ち海側で板５３を突き出すための舌状部１４とを含む細長ボディを有する。舌状部１４は、後面１４２と、前面１４４とを含む。後面１４２は、障害物１０がその周囲に沿って実装されるときに、船舶又は海洋施設の船内方向に面するように意図され、また、前面は、船外即ち海方向に面するように意図される。また、障害物１０は、船舶又は海洋施設の周囲に沿って障害物１０が実装されるときに上方に面するように意図される上面１６と、それに対して反対側であり且つ縦溝１２がそこに形成される下面１８とを含む。舌状部１４の後面１４２と（図４にＸ−Ｘ’とラベル付けされた）縦溝１２の中心線との間の分離ｓは、３０〜３００ｍｍである。縦溝１２の中心線Ｘ−Ｘ’と分離ｓとは、図５に示されるように、舌状部の後面１４２に対する９０度〜１３５度の角度θを範囲決めする平面を共に規定する。
【００３３】
こうして、障害物１０は、最下位列のレール２０３が縦溝１２に受容され、舌状部１４がフィッシュプレート５３の上にその船外即ち海側で突き出るように配置されることができる。舌状部１４は、フィッシュプレート５３がデッキ５１からの最下位列のレール２０３の分離ｆよりも著しく高くはないという条件で、下方を指し示すであろう。ここで「著しく高くはない」とは、フィッシュプレート５３の高さが分離ｆよりも３０ｍｍを超えて大きくはないことを意味する。したがって、そういったケースでは、フィッシュプレート５３の上部縁部は、舌状部１４によってカバーされ、無許可の潜在的搭乗者に、船舶又は海洋施設に搭乗しようと試みる際にフックを取り付けるため又はつかみ所を得るための場所をもはや提供することができない。
【００３４】
他方、フィッシュプレート５３がデッキ５１からの最下位列のレール２０３の分離ｆよりも著しく高い場合、最下位列のレール２０３が縦溝１２に受容されて舌状部１４がフィッシュプレート５３の上に突き出るように、障害物１０が仮に再度配置されるならば、舌状部１４は、代わりにフィッシュプレート５３の船外即ち海側で上方を指し示すであろう。次いで、舌状部１４は、無許可の潜在的搭乗者がフックを取り付けるため又はつかみ所を得るための可能な場所をそれ自体が提供するであろう。しかしながら、そういったケースでは、障害物１０を使用する必要性が全くなく、その理由は、フィッシュプレート５３の上部縁部が、フィッシュプレート５３の上の場所で周囲レール２０に沿ってセキュリティ防壁を実装することによって、代わりに無許可の潜在的搭乗者をアクセス不可にできるからである。そういったケースでは、その船外即ち海側でのセキュリティ防壁の下側の突き出しは、フィッシュプレート５３の上部縁部へのアクセスを防止する。その上、そういったケースでは、フィッシュプレート５３が分離ｆよりも高いという理由で、フィッシュプレート自体は、最下位列のレール２０３とデッキ５１との間のギャップを完全にカバーする。
【００３５】
しかしながら、フィッシュプレート５３が分離ｆよりも著しく高くはないケースでは、フィッシュプレート５３から周囲レール２０のデッキ５１を横切る様々な異なった可能な距離と、フィッシュプレートの様々な異なった可能な高さとは、上で言及された障害物１０の２つの特徴、即ち、縦溝１２が舌状部の後面１４２から３０〜３００ｍｍだけ離隔されること、及び、角度θが９０〜１３５度の鈍角であること、の組合せによって、共に適応される。この特徴の組合せの場合、障害物１０は、多種多様の、異なった可能な高さのフィッシュプレートや、デッキ５１を横切るフィッシュプレート５３からの異なった可能な距離の周囲レール２０に関して、舌状部１４の下方を指し示す配向を維持することができる。
【００３６】
舌状部１４の下方を指し示す配向を維持するための障害物１０の能力は、障害物１０のこの実施形態の別の特徴（舌状部１４が、縦溝１２から離れる方向に減っていく厚さｔを有すること）によって更に促進される。こうして、舌状部の後面１４２が下方を指し示す配向を採用する場合、舌状部１４の減っていく厚さｔとは、前面１４４がその後面１４２よりも急角度に下方を指し示すことを意味する。
【００３７】
縦溝１２は、図５から最も良く理解され得るように、滑らかに湾曲した凹状のプロファイルを有する。こうして、縦溝１２は、最下位列のレール２０３まわりの障害物１０の回転に適合され、それによって、障害物１０は、デッキの縁部に沿って異なった高さのフィッシュプレートを容易に収容することができる。対照的に、上面１６は、障害物１０の深さのＤ−Ｄ’方向に凸状に湾曲している。これは、次のように２つの利点を有する。第１に、障害物１０が、フィッシュプレートの異なった高さと、デッキ５１からの最下位列のレール２０３の異なった分離ｆと、に適するために、回転するときに、上面１６が、デッキ５１からの高さを実質上一定に維持することを確実にする。こうして、障害物１０は、周囲レール２０上のその上に実装されるセキュリティ防壁を妨げる可能性が低い。第２に、しかしながら、障害物１０の上面１６が、無許可の潜在的搭乗者によって、つかみ所のための場所として使用されるのを防止することにも役立つ。同じ理由から、上面１６と前面１４４の両方は、実質上滑らかである。
【００３８】
障害物１０が周囲レール２０に固定されるのを可能にするために、障害物１０は、縦溝１２に近位の取付け設備１１を更に含む。この特定の実施形態では、取付け設備１１は、障害物１０に形成された複数の貫通穴１１２を含み、障害物１０が、例えば、最下位列のレール２０３に及び／又は周囲レール２０の１つ又は複数の鉛直支柱２０４に、結び付けられるのを可能にする。それは、図２に代表されるものなどの船舶又は海洋施設のデッキに恒久的に位置する障害物２３に結び付けられることもある。しかしながら、障害物１０の代替の可能な実施形態では、取付け設備１１は、代わりに、障害物１０を最下位列のレール２０３にクリッピングするための、例えば、１つ又は複数のクリップを含む場合がある。
【００３９】
障害物１０が周囲レール２０に固定式に取り付けられても、最下位列のレール２０３まわりの障害物１０の回転は、フィッシュプレート５３の上部縁部を露出させるので、望ましくない。そういったケースでは、無許可の潜在的搭乗者は、例えば、フィッシュプレート５３の上部縁部へのアクセスを得て、つかみ所としてそれを利用する目的で、障害物の舌状部１４を跳ね上げようと試みることがある。したがって、障害物１０は、最下位列のレール２０３まわりの障害物１０の任意のそういった望ましくない回転を妨げるための回転防止デバイス１３を更に含む。この特定の実施形態では、回転防止デバイス１３は、舌状部１４に形成された複数の貫通穴１３２を含む。それらは、障害物１０が、例えば、別の隣接する類似の障害物に、或いは、１つ又は複数の鉛直支柱２０４又は支持ステイ２０５に、結び付けられることを可能にする。しかしながら、障害物１０の他の代替の可能な実施形態では、回転防止装置１３は、代わりに、フィッシュプレート５３と係合するための舌状部１４の後面１４２のタング、鉛直支柱２０４又は支持ステイ２０５と係合するための１つ又は複数のアーム、或いは、障害物１０を隣接する類似の障害物にクリッピングするための１つ又は複数のクリップ、を含む場合がある。
【００４０】
図３、４及び５に示される実施形態では、障害物１０は、ほぼ９８０ｍｍの幅ｗを有する。周囲レール２０の鉛直支柱２０４は、１．５メートルを超えずに離隔され、また、多くの場合に１メートルで離隔されるので、障害物１０は、したがって、通常、２つの隣接する支柱２０４間に快適に適合することができる。障害物が高密度ポリエチレン（ＨＤＰＥ）又はガラス強化ナイロンで作られる場合、小さなノッチは、容易にそれに切り込まれることがあり、障害物１０が鉛直支柱２０４のうちの1つを横切る最下位列のレール２０３に実装されるのを可能にする。こうして、複数のそういった障害物は、鉛直支柱２０４の場所に対応する位置でノッチをそれらに切り込むことによって、船舶又は海洋施設の周囲に沿って並んで互いに隣接して配置されることがある。
【００４１】
図３、４及び５に示される障害物１０は、ほぼ３００ｍｍの高さｈを有し、舌状部１４の後面１４２と縦溝１２の中心線Ｘ−Ｘ’との間の分離ｓは、ほぼ８２ｍｍである。これらの寸法は、障害物１０が、デッキ５１を超えてフィッシュプレート５３までの周囲レール２０の異なった可能な距離のために、フィッシュプレートの多種多様な異なった可能な高さから突き出るのを可能にするのに十分である。図３、４及び５に示される障害物１０の実施形態では、角度θは、ほぼ１０３度である。
【００４２】
図６及び７は、図１及び２に示されるものなどの船舶又は海洋施設の周囲レール２０に実装される周囲保護システム１００の実施形態の、外側即ち海側からの図と内側即ちデッキ側からの図をそれぞれ示す。周囲保護システム１００は、図３、４及び５に関連して図示及び上述されたタイプの複数の障害物１０ａ、１０ｂと、障害物の上の、船舶又は海洋施設の周囲レール２０に実装するための複数のセキュリティ防壁１ａ、１ｂ、１ｃとを含む。セキュリティ防壁１ａ、１ｂ、１ｃの個々は、例えば、英国特許第ＧＢ２５３１２３２Ｂ号に、同じく本出願人の名義で、図示及び説明されたタイプ（その内容は、参照によって本明細書に組み込まれる）であることがある。周囲保護システム１００は、隣接するペアのセキュリティ防壁１ａ、１ｂ間の溝に位置決めするための障害物の別のタイプ、及び、英国特許第ＧＢ２５３５６８１Ｂ号に、同じく本出願人の名義で、図示及び説明されたタイプ（その内容は、参照によって本明細書に組み込まれる）、の１つ又は複数を更に含むことがある。
【００４３】
例証する目的のためだけに、船舶又は海洋施設は、５３ａ、５３ｂとそれぞれラベル付けされる２つの異なった高さのフィッシュプレートを有するように、図６及び７に示される。これは、障害物１０ａ、１０ｂの配向が、異なった高さのフィッシュプレートに適するように、どのように調整されるかを示すためである。しかしながら、現実には、船舶又は海洋施設は、通常そのデッキの縁部に沿った単一の高さだけであるフィッシュプレートを有する。実際には、フィッシュプレートが単一の高さだけを有するので、複数の障害物１０ａ、１０ｂは、船舶又は海洋施設の周囲に沿って並んで互いに隣接して配置される場合があり、複数のセキュリティ防壁１ａ、１ｂ、１ｃは、障害物の上で、船舶又は海洋施設の周囲レール２０に沿って並んで互いに隣接して配置される。
【００４４】
複数の障害物１０ａ、１０ｂ及び複数のセキュリティ防壁１ａ、１ｂ、１ｃは、派手にカラー化されることがあり、周囲保護システム１００の存在を無許可の潜在的搭乗者に対して宣伝して、彼らが船舶及び海洋施設に接近するのを抑止する。それらは、安全オレンジにカラー化されることが好ましい。
【００４５】
船舶又は海洋施設は、周囲保護システム１００の複数の障害物１０ａ、１０ｂ及び複数のセキュリティ防壁１ａ、１ｂ、１ｃによって保護される積荷を更に含むことがある。
【図１】
0006929369.tif 000002
【図２】
0006929369.tif 000003
【図３】
0006929369.tif 000004
【図４】
0006929369.tif 000005
【図５】
0006929369.tif 000006
【図６】
0006929369.tif 000007
【図７】
0006929369.tif 000008